(57)【要約】      （修正有）【課題】レンズの交換が容易なゴーグル構造を提供する。【解決手段】主にフレーム１０、２個のレンズ２０、２個のベルト係合体３０、ベルト４０を含む。該フレーム１０は２個の眼鏡フレーム１１を具え、該眼鏡フレーム１１内にはレンズ２０を設置する。該眼鏡フレーム１１は展開及び封鎖可能で、レンズ２０を取外し、或いは直接或いは間接的に挟持し、交換可能である。また、該眼鏡フレーム１１は該ベルト係合体３０により係合、固定される。さらに、該フレーム１０上には軟質カバー体５０を設置可能で、水泳など用の顔面シールドとして使用可能である。【選択図】図１
0003107145.tif 000002
【実用新案登録請求の範囲】
【請求項１】
フレーム、２枚のレンズ、２個のベルト係合体、ベルトを含み、
該フレームは２個の眼鏡フレームを具え、該２個の眼鏡フレームは両側より展開可能で、該眼鏡フレーム内には該眼鏡フレームと分離可能なレンズを設置し、該眼鏡フレーム両側には結合部品を設置し、
該２枚のレンズは該眼鏡フレーム内に設置し、
該２個のベルト係合体は該眼鏡フレームの結合部品と結合/分離を行う部品で、後方にはベルトを設置し、
少なくとも１本のベルトは該２個のベルト係合体両端に結合することを特徴とするゴーグル構造。
【請求項２】
前記眼鏡フレーム両側の結合部品は係合体であることを特徴とする請求項１記載のゴーグル構造。
【請求項３】
前記ベルト係合体は主係合体と副係合体を具えることを特徴とする請求項１記載のゴーグル構造。
【考案の詳細な説明】
【技術分野】
【０００１】
本考案は一種のスイミングゴーグル、スポーツゴーグル、工業用顔面シールドなどを含むゴーグル構造に関する。特に一種のレンズを交換可能なゴーグル構造に係る。
【背景技術】
【０００２】
公知のゴーグルは多くはレンズをフレーム内に固定し、該フレームの両側には固定構造である眼鏡フレームを形成する。該眼鏡フレームの両側にはそれぞれ１個のベルト係合体を設置し、該ベルト係合体と該ベルト係合体間にはベルトを設置し、該ベルトの調整は該ベルト係合体位置或いは別に設置する調整裝置において行う。
該ゴーグルは通常、水泳、潜水、スキーなどスポーツ用、工業用などに用いられる。これら各種ゴーグル或いは顔面シールドはある一定期間の使用後は、レンズに傷がつき或いは摩損し、かつ曇り止め処理などの効果も徐々に劣化して行く。このような状態では無理に使用を続ける他はゴーグル或いは顔面シールド全体を捨てるしか方法がない。
また上記の各種ゴーグル或いは顔面シールドは使用において、各人の目の状況(近眼、遠眼或いはその他の症状)、光線の強弱(太陽光が強烈或いは雪による反射など)などの環境に応じてしばしばレンズを交換する必要がある。すなわち、こうして適当に異なる効果のレンズに交換することにより目を保護する目的を達成するものである。
過去のゴーグル構造、特に水泳用スイミングゴーグルの多くは主フレーム及び副フレームを含む。該主フレームと該副フレーム間にはレンズを挟み、該レンズは交換可能ではあるが、実際の作業時には若干の工具を使用する必要があり、かつ若干程度の破壊が必要である。そのため、交換を希望する消費者は極めて少数であるのが現状である。
現在市場上にはレンズ交換の可能なゴーグルが存在する。該ゴーグルには少なくとも２種の構成方式があり、１種は軟質顔面シールド体とレンズを直接結合する方式により構成するが、この種の方式により製造される製品は市場ではほとんど受け入れられていない。もう１種は一定の構造を具える硬質フレーム上にレンズを設置し、レンズを固定するパーツを用い、該レンズを定位するものである。この種の構造の現在の設計もまた改善が必要である。
【特許文献１】特開２００２−０５２０９５
【考案の開示】
【考案が解決しようとする課題】
【０００３】
公知構造には以下の欠点があった。
すなわち公知ゴーグルはある一定期間の使用後はレンズを交換する必要が生じるし、また使用者の目の状況や環境に応じてレンズを交換する必要があるが、現在存在する２種のレンズを交換可能なゴーグル構造は共に理想的ではない。１種は軟質顔面シールド体とレンズを直接結合する構造であるが、市場ではほとんど受け入れられていない。もう１種は硬質フレーム上にレンズを設置し、固定用パーツを用いレンズを定位するものであるが、この種の構造もまた改善が必要である。
本考案は上記構造の問題点を解決したゴーグル構造を提供するものである。
【課題を解決するための手段】
【０００４】
上記課題を解決するため、本考案は下記のゴーグル構造を提供する。
本考案のゴーグル構造は、請求項１に記載するように、
フレーム、２枚のレンズ、２個のベルト係合体、ベルトを含み、
該フレームは２個の眼鏡フレームを具え、該２個の眼鏡フレームは両側より展開可能で、該眼鏡フレーム内には該眼鏡フレームと分離可能なレンズを設置し、該眼鏡フレーム両側には結合部品を設置し、
該２枚のレンズは該眼鏡フレーム内に設置し、
該２個のベルト係合体は該眼鏡フレームの結合部品と結合/分離を行う部品で、後方にはベルトを設置し、
少なくとも１本のベルトは該２個のベルト係合体両端に結合することを特徴とする。
また、請求項２に記載するように、前記眼鏡フレーム両側の結合部品は係合体であることを特徴とする。
さらに、請求項３に記載するように、前記ベルト係合体は主係合体と副係合体を具えることを特徴とする。
【考案の効果】
【０００５】
上記のように、本考案は眼鏡フレームを展開/封鎖可能な構造とし、レンズ交換を可能とする。さらに、ベルト係合体とフレーム間の結合と離脱構造により、レンズ交換の動作をいっそう簡単にすることができる。
【考案を実施するための最良の形態】
【０００６】
図１、２、３に示すように、本考案はフレーム10、２枚のレンズ20、２本のベルト係合体30及びベルト40により構成する。
該フレーム10は両側の眼鏡フレーム11を含む。該２個の眼鏡フレーム11はレンズ20を設置する空間12を具え、２個の眼鏡フレーム11は展開可能な "非封鎖" 状の切口13をそれぞれ具える。該切口13は上側13aと下側13bに分けられ、該上側13a外側には結合部品である係合部品14aを設置する。該下側13b外側にもまた結合部品である係合部品14bを設置する。図１に示すように、該眼鏡フレーム11内縁には凹槽15を設置し、該凹槽15には該レンズ20を設置 (直接、間接或いは嵌設など、設置方式には制限がない)可能である。
該眼鏡フレーム11及び該係合部品14a、14bは弾性を具えた材質で構成し、該眼鏡フレーム11は展開、封鎖可能とし、該係合部品14a、14bは該ベルト係合体30において進出可能とする。
【０００７】
該係合部品14a、14bの製作時には該眼鏡フレーム11の後側に直接成型し、該係合部品14a、14bは弾性を具えた材質により構成する。
該係合部品14a、14bは圧力を受けていない状態では、該ベルト係合体30内に緊密に嵌合される。向かい合い該係合部品14a、14bを押さえる時には該ベルト係合体30と離脱する。該ベルト係合体30を離脱した眼鏡フレーム11は自然に展開し、これにより該レンズ20は取外し可能となり、交換することができる。
【０００８】
本考案該ベルト係合体30は伝統的なベルト係合体の連結フレーム10とベルト40の機能を具える他に外、該係合部品14a、14bの定位を安定させる機能を具える。図１、２、３に示すように、該ベルト係合体30の構成は主係合体31及び副係合体32を含む。
該副係合体32の後側にはベルト40を設置する。該主係合体31と該副係合体32は結合或いは分離(後述)可能である。
該主係合体31の構成は前側に開口311を具え、該主係合体31の両側にはそれぞれ開口312、313を設置し、該主係合体31の後側にもまた開口314 (図４参照)を設置する。該主係合体31の外側面には孔315を設置する。
上記の開口311には、該係合部品14a、14bは向い合い圧迫された状態時に進(出)し、該開口312は該係合部品14aを定位し、該開口313は該係合部品14bを定位する。該開口314 において副係合部品32は進(出)し、該孔315は該副係合部品32を定位する定置。
【０００９】
続いて図１、２に示すように、該主係合体31を該眼鏡フレーム11から離脱させようとする時には、手指或いは工具により該係合部品14a、14bに対して相対的に押す。この時、該係合部品14a、14bの材質は弾性を具えるため、該係合部品14a及び該係合部品14b間の距離は該開口311内部空間の距離よりも小さくなり、該係合部品14a、14bの外側外表面は斜めとなる。こうして該係合部品14a、14bは簡単に該主係合体31と分離する。
図３に示すように、該眼鏡フレーム11の上側13a及び下側13bは外側に向い展開し、該係合部品14a、14bも外側に向い展開させることができ、該レンズ20の取外しかつ交換可能な状態となる。
【００１０】
次に図４、５に示すように、本考案の軟質カバー体50を具えた実施例はフレーム10、２個のレンズ20、少なくとも１個の軟質カバー体50、２個の主係合体31及び２個の副係合体32を含む、該副係合体32上にはベルト40を装置する。上記構成中のレンズ20は先ず該軟質カバー体50内に装置し、続いて該フレーム10中に設置する。また該レンズ20を先ず該フレーム10内に設置し、次に該軟質カバー体50を被せ該眼鏡フレーム11を封鎖することもできる。
すなわち、本考案の展開/封鎖可能な機能を具えた眼鏡フレーム11はどのように該レンズ20を装置しようと、或いは該軟質カバー体50を含もうと一切の制限はない。該主係合体31は該眼鏡フレーム11を封鎖或いは展開可能な部品で、該レンズ20及び該軟質カバー体50を安定的に該フレーム10に固定可能な構造である。該副係合部品32はベルト40を設置し、該副係合部品32は該主係合体31と分離し、該主係合体31と一体に製造される。この種の分離可能な或いは固定部品を形成する状態は( 眼鏡フレーム11は展開及び封鎖可能 )、本考案の特徴に影響を及ぼすことはない。またベルト40の形態にも制限はなく、主要機能は本考案でいうゴーグルを頭部或いは関連位置に固定させるものである。
図４は該レンズ20、該軟質カバー体50及び該眼鏡フレーム11の結合状態を示し、また該主係合体31が該眼鏡フレーム11に結合する状態を示す。
【図面の簡単な説明】
【００１１】
【図１】本考案ゴーグル構造の立体図である。
【図２】ベルト係合体と眼鏡フレームを分離させる動作の指示図である。
【図３】本考案ゴーグルの取外しレンズの立体指示図である。
【図４】本考案実施例の分解立体図である。
【図５】本考案実施例の部分断面図である。
【符号の説明】
【００１２】
10  フレーム
11  眼鏡フレーム
12  空間
13  切口
13a  上側
13b  下側
14a  係合部品
14b  係合部品
15  凹槽
20  レンズ
30  ベルト係合体
31  主係合体
311  開口
312  開口
313  開口
314  開口
315  孔
32   副係合体
40   ベルト
50  カバー体
【図１】
0003107145.tif 000003
【図２】
0003107145.tif 000004
【図３】
0003107145.tif 000005
【図４】
0003107145.tif 000006
【図５】
0003107145.tif 000007